(57)【要約】【課題】印刷時の待ち時間を有効に利用できるようにする。【解決手段】プリンタ１にセットされている用紙３にメモリカード２内の画像データを印刷している間、プリンタ１のディスプレイ１９に、「印刷中」のメッセージとともに、印刷中の画像にカレンダー合成、スタンプ合成、フレーム合成、マルチレイアウト合成等した加工画像を表示する。また、加工画像をディスプレイ１９に表示しているときに、印刷釦１８が押下されると、該加工画像の印刷予約を受ける。【選択図】図３
2010005823.tif 000002
【特許請求の範囲】
【請求項１】
記憶媒体内の画像を用紙に印刷する印刷装置を備えたプリントシステムであって、
画像を表示する表示手段と、
前記印刷装置による印刷中に、前記記憶媒体内の画像に加工を施した加工画像を前記表示手段に表示する制御手段とを備えたことを特徴とするプリントシステム。
【請求項２】
前記制御手段は所定時間毎に加工内容を変更して表示することを特徴とする請求項１に記載のプリントシステム。
【請求項３】
前記加工画像を前記表示手段に表示しているときに、所定の操作により該加工画像の印刷予約を受ける予約手段を備えたことを特徴とする請求項１又は２に記載のプリントシステム。
【請求項４】
前記加工の対象となる画像は、前記印刷装置で印刷中の画像であることを特徴とする請求項１乃至３のいずれか１項に記載のプリントシステム。
【請求項５】
前記加工は、前記記憶媒体内の画像にカレンダーを合成する加工を含むことを特徴とする請求項１乃至４のいずれか１項に記載のプリントシステム。
【請求項６】
前記加工は、前記記憶媒体内の画像にスタンプを合成する加工を含むことを特徴とする請求項１乃至４のいずれか１項に記載のプリントシステム。
【請求項７】
前記加工は、前記記憶媒体内の画像にフレームを合成する加工を含むことを特徴とする請求項１乃至４のいずれか１項に記載のプリントシステム。
【請求項８】
前記加工は、前記記憶媒体内の複数の画像を組み合わせるマルチレイアウト合成を含むことを特徴とする請求項１乃至４のいずれか１項に記載のプリントシステム。
【請求項９】
前記加工は、前記印刷装置による印刷の様子を紙の動きと共に表現した動画を生成する加工であることを特徴とする請求項１に記載のプリントシステム。
【請求項１０】
前記制御手段による加工内容が複数種あり、過去の履歴により実行する加工を自動選択することを特徴とする請求項１乃至９のいずれか１項に記載のプリントシステム。
【請求項１１】
前記印刷装置が前記制御手段を備えることを特徴とする請求項１乃至１０のいずれか１項に記載のプリントシステム。
【請求項１２】
前記印刷装置に接続された外部機器が前記制御手段を備えることを特徴とする請求項１乃至１０のいずれか１項に記載のプリントシステム。
【請求項１３】
記憶媒体内の画像を用紙に印刷する印刷装置であって、
画像を表示する表示手段と、
印刷中に、前記記憶媒体内の画像に所定の加工を施した加工画像を前記表示手段に表示する制御手段とを備えたことを特徴とする印刷装置。
【請求項１４】
記憶媒体内の画像を用紙に印刷する印刷装置に接続される電子機器であって、
画像を表示する表示手段と、
前記印刷装置による印刷中に、前記記憶媒体内の画像に所定の加工を施した加工画像を前記表示手段に表示する制御手段とを備えたことを特徴とする電子機器。
【請求項１５】
記憶媒体内の画像を用紙に印刷する印刷装置を用いた印刷方法であって、
前記印刷装置による印刷中に、前記記憶媒体内の画像に所定の加工を施した加工画像を表示手段に表示することを特徴とする印刷方法。
【請求項１６】
記憶媒体内の画像を用紙に印刷する印刷装置を用いて印刷を実行するためのプログラムであって、
前記印刷装置による印刷中に、前記記憶媒体内の画像に所定の加工を施した加工画像を表示手段に表示する処理をコンピュータに実行させるためのプログラム。
【発明の詳細な説明】
【技術分野】
【０００１】
本発明は、記憶媒体内の画像を用紙に印刷する印刷装置を有するプリントシステム、印刷装置、デジタルカメラ等の電子機器、印刷方法及びプログラムに関する。
【背景技術】
【０００２】
プリンタを用いた印刷処理には、プリンタに関する処理、画像データのロード、画像データの転送処理等の様々な処理を必要とするため、印刷終了までに相当の時間がかかるという問題点がある。特に、デジタルカメラで撮影された画像データが記録メディアに大量に記録されており、それら画像をプリント出力する場合、ユーザはプリントが全て終了するまで長い時間待たなければならない。
【０００３】
【特許文献１】特開２００２−１２０４３２号公報
【特許文献２】特開２００４−３２８４３８号公報
【発明の開示】
【発明が解決しようとする課題】
【０００４】
従来の多くのプリンタにおいては、この印刷時の待ち時間において、ディスプレイに「印刷中」のメッセージを表示するのみであった。
【０００５】
そういった点に鑑みて、特許文献１には、画像データの受信から印刷までのどの処理を実行中であるかを動的に又は逐次表示することが開示されている。印刷のどの処理を実行中かをユーザに知らせることにより、ユーザは印刷終了までにどの程度時間がかかるかの見当をつけることができる。しかしながら、印刷終了までの時間の見当はついても、ユーザは長い間暇を持て余してしまうことには変わりがない。
【０００６】
また、特許文献２には、印刷時の待ち時間に音楽コンテンツを提供することが開示されている。しかしながら、印刷を行う場所によっては音楽コンテンツが再生するのが好ましくない状況も考えられる。
【０００７】
本発明は以上のような状況に鑑みてなされたものであり、印刷時の待ち時間を有効に利用できるようにすることを目的とする。
【課題を解決するための手段】
【０００８】
本発明のプリントシステムは、記憶媒体内の画像を用紙に印刷する印刷装置を備えたプリントシステムであって、画像を表示する表示手段と、前記印刷装置による印刷中に、前記記憶媒体内の画像に所定の加工を施した加工画像を前記表示手段に表示する制御手段とを備えたことを特徴とする。
本発明の印刷装置は、記憶媒体内の画像を用紙に印刷する印刷装置であって、画像を表示する表示手段と、印刷中に、前記記憶媒体内の画像に所定の加工を施した加工画像を前記表示手段に表示する制御手段とを備えたことを特徴とする。
本発明の電子機器は、記憶媒体内の画像を用紙に印刷する印刷装置に接続される電子機器であって、画像を表示する表示手段と、前記印刷装置による印刷中に、前記記憶媒体内の画像に所定の加工を施した加工画像を前記表示手段に表示する制御手段とを備えたことを特徴とする。
本発明の印刷方法は、記憶媒体内の画像を用紙に印刷する印刷装置を用いた印刷方法であって、前記印刷装置による印刷中に、前記記憶媒体内の画像に所定の加工を施した加工画像を表示手段に表示することを特徴とする。
本発明のプログラムは、記憶媒体内の画像を用紙に印刷する印刷装置を用いて印刷を実行するためのプログラムであって、前記印刷装置による印刷中に、前記記憶媒体内の画像に所定の加工を施した加工画像を表示手段に表示する処理をコンピュータに実行させる。
なお、本発明において「記憶媒体内の画像」とは、記憶媒体内に存在する画像データを印刷装置や外部機器に読み込んだものが含まれるものとする。
【発明の効果】
【０００９】
本発明によれば、印刷装置による印刷中に、ユーザの画像を加工した加工画像を表示するようにしたので、ユーザはそれを鑑賞することができ、印刷時の待ち時間を有効に利用することができる。
【発明を実施するための最良の形態】
【００１０】
以下、添付図面を参照して、本発明の好適な実施形態について説明する。
（第１の実施形態）
図１は、本発明が適用される印刷装置であるプリンタ１の外観図及びそのインターフェース部の拡大図である。図１において、２はプリンタ１に着脱可能に装着されるメモリカード（記憶媒体）である。３はプリンタ１にセットされている用紙である。
【００１１】
プリンタ１のインターフェース部において、電源釦１１はプリンタ本体の電源を制御する。決定釦１２は各種設定を決定する際に用いる。戻る釦１３はプリント動作中の動作停止処理や、各種設定を取り消す際に用いる。上方向釦１４は各種設定の選択項目を上に移動する際に用いる。下方向釦１５は各種設定の選択項目を下に移動する際に用いる。左方向釦１６は表示・選択画像を一つ前の画像に移動する際に用いる。右方向釦１７は表示・選択画像を一つ後ろの画像に移動する際に用いる。印刷釦１８は画像表示部１９に表示している画像を印刷指定する際に用いる。ディスプレイ（画像表示部）１９は外部メモリカード２内の画像を表示したり、プリンタ本体の設定画面を表示したりする。
【００１２】
図２は、プリンタ１のハードウェア構成を示すブロック図である。１０１はＣＰＵであり、プリンタ１の全体を制御し、各種データ演算を行う。１０２はＲＡＭであり、ＣＰＵ１０１の動作中に各種データを格納する。１０３はＲＯＭであり、ＣＰＵ１０１で実行されるプログラムや各種データを予め格納しておく。１０４はユーザインターフェースモジュールであり、ユーザが操作するためのボタンの状態を読み取る。１０５はＩ／Ｏポート部であり、プリンタ１に接続された外部機器（デジタルカメラやパーソナルコンピュータ等）と接続しデータ送受信を行う。
【００１３】
１０６はプリンタモジュールであり、プリントヘッドや給排紙モータ等を備え、外部メモリカード２から読み込まれた画像データを印刷する。１０７はイメージプロセスモジュールであり、メモリカード２内の画像を加工・編集する。１０８はビデオモジュールであり、ディスプレイ１９に画像等の表示を行う。１０９は外部メモリカード２と接続するためメモリカードインターフェースである。１１０は電源となるバッテリである。
【００１４】
図３は、本実施形態のプリンタ１の動作概要を説明するための図である。プリンタ１にセットされている用紙３にメモリカード２内の画像データを印刷している間、プリンタ１のディスプレイ１９に、「印刷中」のメッセージとともに、メモリカード２内の画像、本実施形態では印刷中（印刷対象）の画像を加工した加工画像を表示する。加工内容としては、後からも説明するが、カレンダー合成、スタンプ合成、フレーム合成、マルチレイアウト合成等があり、ユーザが好みの加工を予め選択、設定できるようにすればよい。また、加工内容が複数種ある場合、過去の履歴により実行する加工が自動的に選択されるようにしてもよい。
【００１５】
また、加工画像をディスプレイ１９に表示しているときに、所定の操作として印刷釦１８が押下されると、該加工画像の印刷予約を受ける。
【００１６】
また、加工画像をディスプレイ１９に表示してから所定時間Ｔ毎に、現在表示中の加工画像とは加工内容を変更したものをディスプレイ１９に表示する。この場合に、加工内容をランダムに変更するようにしてもよいし、過去の履歴により例えば印刷予約が多かった順に加工内容を変更するようにしてもよい。この一連の動作を用紙３の印刷が終了するまで繰り返す。
【００１７】
図４は、本実施形態のプリンタ１の動作を説明するためのフローチャートである。印刷が開始されると（ステップＳ１０１）、プリンタ１が有する画像処理機能によって印刷中の画像に所定の加工を施し（ステップＳ１０２）、その加工画像をディスプレイ１９に表示する（ステップＳ１０３）。プリンタ１の画像処理機能による加工内容については後述する。
【００１８】
次に、所定時間Ｔが経過したか否かを判断し（ステップＳ１０４）、経過していればステップＳ１０５に移行し、経過していなければステップＳ１０７に移行する。
【００１９】
ステップＳ１０５では、印刷中の画像に、現在表示中の加工画像に対する加工とは異なる加工を施し、その加工画像をディスプレイ１９に表示して（ステップＳ１０６）、ステップＳ１０９に移行する。
【００２０】
一方、ステップＳ１０７では、印刷釦１８が押下されているか否かを判断する。ステップＳ１０７において印刷釦１８が押下されていれば、ディスプレイ１９に表示中の加工画像の印刷予約を受け、印刷予約リストに追加する（ステップＳ１０８）。予約リストには、印刷対象の画像を指定する情報と加工内容を記載しても良いし、加工済みの画像を保存してその画像を印刷予約リストで印刷対象の画像として指定しても良い。ステップＳ１０７において印刷釦１８が押下されていなければ、ステップＳ１０９に移行する。
【００２１】
ステップＳ１０９では、印刷が終了したか否かを判断し、終了していなければステップＳ１０４に戻り、終了していれば本処理を終了する。
【００２２】
以下、図５を参照して、プリンタ１の画像処理機能による加工内容について述べる。図５は、プリンタ１の画像処理機能による加工内容を説明するための表示例である。図５（ａ）に示すのは、加工対象画像（印刷中の画像）に、プリンタ１内に予め用意されているカレンダーデータを合成するカレンダー合成機能の例である。
【００２３】
図５（ａ）では、月間カレンダーを合成している。この場合、加工対象画像（印刷中の画像）がデジタルカメラ等により撮影されたものであれば、その画像データから撮影日付を取得して、その撮影日付が含まれる月間カレンダーを合成するようにしてもよい。例えば撮影日付が２００５年５月１４日であれば、２００５年５月の月間カレンダーを合成する。
【００２４】
或いは、印刷時点の年月の月間カレンダーを合成するようにしてもよい。例えば印刷時点が２００８年３月１４日であれば、２００８年３月の月間カレンダーを合成する。この場合に、印刷時点の日付が例えば２０日以降であるときには、印刷時点の日付の翌月の月間カレンダーを組み合わせるようにしてもよい。例えば印刷時点が２００８年３月２８日であれば、２００８年４月の月間カレンダーを合成する。
【００２５】
或いは、印刷時点の年度で、加工対象画像の撮影月の月間カレンダーを合成するようにしてもよい。例えば撮影日付が２００５年５月１４日であり、印刷時点が２００８年３月１４日であれば、２００８年５月の月間カレンダーを合成する。
【００２６】
なお、ここでは月間カレンダーを説明したが、年間カレンダーを合成するようにしてもよい。
【００２７】
図５（ｂ）に示すのは、加工対象画像（印刷中の画像）に、プリンタ１内に予め用意されている画像やテキスト等のスタンプを合成するスタンプ合成機能の例である。
【００２８】
図５（ｃ）に示すのは、加工対象画像（印刷中の画像）に、プリンタ１内に予め用意されているフレームデータを合成するフレーム合成機能の例である。
【００２９】
図５（ｄ）に示すのは、メモリカード２内の複数の画像を組み合わせるマルチレイアウト合成機能の例である。加工対象画像（印刷中の画像）に、メモリカード２内の他の画像を組み合わせて１つの画像データを作成する。この場合、加工対象画像（印刷中の画像）がデジタルカメラ等により撮影されたものであれば、その画像データから撮影日付を取得して、その撮影日付に近い撮影日付の画像が外部メモリカード２から自動的に選択されるようにすればよい。或いは、加工対象画像（印刷中の画像）と色情報の近い画像が外部メモリカード２から自動的に選択されるようにすればよい。
【００３０】
以上述べたように、プリント中の待ち時間に、印刷中の画像を自動的に加工処理したものがディスプレイ１９に表示されるので、それを観賞することができる。また、気に入った加工画像が作成、表示されれば、プリント予約もできるので、印刷時間を有効に過ごすことができると考えられる。プリント予約された加工画像は、現在の印刷が終了後に自動的に印刷を開始しても良いし、後にユーザがプリント予約の実行開始の指示を行ったときに加工画像の印刷を開始しても良い。
【００３１】
なお、本実施形態では、加工対象画像を印刷中の画像としたが、メモリカード２内の他の画像としてもよい。
【００３２】
（第２の実施形態）
次に、本発明の第２の実施形態を説明する。第２の実施形態は、第１の実施形態においてプリンタ１が有していた画像処理機能及びその表示機能を、プリンタ１に接続される電子機器であるデジタルカメラ４が有するようにした例である（図８を参照）。
【００３３】
図６は、本発明が適用されるデジタルカメラ４の外観図である。電源釦４１はデジタルカメラ本体の電源を制御する。再生釦４２はデジタルカメラ４の再生モードと撮影モードの切り替えを制御する。戻る釦４３は各種設定を取り消す際に用いる。決定釦４４は各種設定を決定する際に用いる。上方向釦４５は各種設定の選択項目を上に移動する際に用いる。下方向釦４６は各種設定の選択項目を下に移動する際に用いる。左方向釦４７は表示・選択画像を一つ前の画像に移動する際に用いる。右方向釦４８は表示・選択画像を一つ後ろの画像に移動する際に用いる。ディスプレイ（画像表示部）４９は、撮影映像や外部メモリカード５内の画像を表示したり、デジタルカメラ本体の設定画面を表示したりする。
【００３４】
図７は、プリンタ１及びデジタルカメラ４のハードウェア構成を示すブロック図である。プリンタ１のハードウェア構成は、第１の実施形態のものと同様であり、図２と同一の符号を付すとともに、その説明を省略する。
【００３５】
デジタルカメラ４のハードウェア構成において、４０１はＣＰＵであり、デジタルカメラ４の全体を制御し、各種データ演算を行う。４０２はＲＡＭであり、ＣＰＵ４０１の動作中に各種データを格納する。４０３はＲＯＭであり、ＣＰＵ４０１で実行されるプログラムや各種データを予め格納しておく。４０４はユーザインターフェースモジュールであり、ユーザが操作するためのボタンの状態を読み取る。４０５はＩ／Ｏポート部であり、プリンタ１やパーソナルコンピュータ等と接続しデータ送受信を行う。
【００３６】
４０６は撮影モジュールであり、レンズを通して入ってきた光を撮像素子にてデジタル信号に変換し、外部メモリカード５に保存する。４０７はイメージプロセスモジュールであり、撮影画像を加工・編集する。４０８はビデオモジュールであり、装置上のディスプレイに画像等の表示を行う。４０９は外部メモリカード５と接続するためメモリカードインターフェースである。４１０は電源となるバッテリである。
【００３７】
図８は、本実施形態のプリンタ１及びデジタルカメラ４の動作概要を説明するための図である。プリンタ１にセットされている用紙３にデジタルカメラ４に装着されたメモリカード５内の画像データを印刷している間、デジタルカメラ４のディスプレイ４９に、「印刷中」のメッセージとともに、メモリカード５内の画像、本実施形態では印刷中（印刷対象）の画像を加工した加工画像を表示する。第１の実施形態でも述べたように、加工内容としては、カレンダー合成、スタンプ合成、フレーム合成、マルチレイアウト合成等がある。
【００３８】
また、第１の実施形態と同様に、加工画像をディスプレイ４９に表示しているときに、所定の操作として決定釦４４が押下されると、該加工画像の印刷予約を受ける。
【００３９】
また、第１の実施形態と同様に、加工画像をディスプレイ４９に表示してから所定時間毎に、現在表示中の加工画像とは加工内容を変更したものをディスプレイ４９に表示する。この一連の動作を用紙３の印刷が終了するまで繰り返す。
【００４０】
図９は、本実施形態のデジタルカメラ４の動作を説明するためのフローチャートである。印刷が開始されると（ステップＳ２０１）、デジタルカメラ４が有する画像処理機能によって印刷中の画像に所定の加工を施し（ステップＳ２０２）、その加工画像をディスプレイ４９に表示する（ステップＳ２０３）。デジタルカメラ４の画像処理機能による加工内容については、第１の実施形態と同様である。
【００４１】
次に、所定時間Ｔが経過したか否かを判断し（ステップＳ２０４）、経過していればステップＳ２０５に移行し、経過していなければステップＳ２０７に移行する。
【００４２】
ステップＳ２０５では、印刷中の画像に、現在表示中の加工画像に対する加工とは異なる加工を施し、その加工画像をディスプレイ４９に表示して（ステップＳ２０６）、ステップＳ２０９に移行する。
【００４３】
一方、ステップＳ２０７では、決定釦４４が押下されているか否かを判断する。ステップＳ２０７において決定釦４４が押下されていれば、ディスプレイ４９に表示中の加工画像の印刷予約を受け、印刷予約リストに追加する（ステップＳ２０８）。この処理が、本発明でいう予約処理例である。ステップＳ２０７において決定釦４４が押下されていなければ、ステップＳ２０９に移行する。
【００４４】
ステップＳ２０９では、印刷が終了したか否かを判断し、終了していなければステップＳ２０４に戻り、終了していれば本処理を終了する。
【００４５】
（第３の実施形態）
次に、本発明の第３の実施形態を説明する。第３の実施形態は、第１の実施形態と画像の加工内容を異ならせた例である。なお、本実施形態のプリンタ６のハードウェア構成等は第１の実施形態のプリンタ１と同様であり、以下、第１の実施形態との相違点を中心に説明する。
【００４６】
図１０は、本実施形態のプリンタ６の動作概要を説明するための図である。プリンタ６にセットされている用紙８にメモリカード７内の画像データを印刷している間、プリンタ６のディスプレイ９に、「印刷中」のメッセージとともに、印刷中（印刷対象）の画像を加工した加工画像を表示する。本実施形態では、プリンタ６による印刷の様子を紙の動きと共に表現した動画を生成して、ディスプレイ９に表示する。
【００４７】
図１１は、本実施形態のプリンタ６の動作を説明するためのフローチャートである。印刷が開始されると（ステップＳ３０１）、印刷中か否かを判定する（ステップＳ３０２）。ステップＳ３０２において印刷中であれば、プリンタ６の印刷状態を読み取り（ステップＳ３０３）、その印刷状態に基づいて印刷中の画像を加工した加工画像、すなわち印刷の様子を紙の動きと共に表現した動画をディスプレイ９に表示する（ステップＳ３０４）。ステップＳ３０２において印刷が終了していれば、本処理を終了する。
【００４８】
なお、本発明の目的は、上述した実施形態の機能を実現するソフトウェアのプログラムコードを記録した記憶媒体を、システム或いは装置に供給することによっても達成される。この場合、そのシステム或いは装置のコンピュータ（又はＣＰＵやＭＰＵ）が記憶媒体に格納されたプログラムコードを読み出し実行する。
【００４９】
この場合、記憶媒体から読み出されたプログラムコード自体が上述した実施形態の機能を実現することになり、プログラムコード自体及びそのプログラムコードを記憶した記憶媒体は本発明を構成することになる。
【００５０】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５１】
また、コンピュータが読み出したプログラムコードを実行することにより、上述した実施形態の機能が実現されるだけに限らない。例えば、そのプログラムコードの指示に基づき、コンピュータ上で稼動しているＯＳ（基本システム或いはオペレーティングシステム）等が実際の処理の一部又は全部を行い、その処理によって上述した実施形態の機能が実現されてもよい。
【００５２】
さらに、記憶媒体から読み出されたプログラムコードが、コンピュータに挿入された機能拡張ボードやコンピュータに接続された機能拡張ユニットに備わるメモリに書き込まれる形態でもよい。この場合メモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される。
【図面の簡単な説明】
【００５３】
【図１】第１の実施形態のプリンタを示す図である。
【図２】第１の実施形態のプリンタのハードウェア構成を示すブロック図である。
【図３】第１の実施形態のプリンタの動作概要を説明するための図である。
【図４】第１の実施形態のプリンタの動作を説明するためのフローチャートである。
【図５】第１の実施形態のプリンタの画像処理機能による加工内容を説明するための表示例を示す図である。
【図６】第２の実施形態のデジタルカメラを示す図である。
【図７】第２の実施形態のプリンタ及びデジタルカメラのハードウェア構成を示すブロック図である。
【図８】第２の実施形態のプリンタ及びデジタルカメラの動作概要を説明するための図である。
【図９】第２の実施形態のデジタルカメラの動作を説明するためのフローチャートである。
【図１０】第３の実施形態のプリンタの動作概要を説明するための図である。
【図１１】第３の実施形態のプリンタの動作を説明するためのフローチャートである。
【符号の説明】
【００５４】
１：プリンタ
２：メモリカード
３：用紙
４：デジタルカメラ
５：メモリカード
６：プリンタ
７：メモリカード
８：用紙
９：ディスプレイ
１８：印刷釦
１９：ディスプレイ
４４：決定釦
４９：ディスプレイ
１０１：ＣＰＵ
１０２：ＲＡＭ
１０３：ＲＯＭ
１０４：ユーザインターフェースモジュール
１０５：Ｉ／Ｏポート部
１０６：プリントモジュール
１０７：イメージプロセスモジュール
１０８：メモリカードインターフェース
１０９：ビデオモジュール
１１０：バッテリ
４０１：ＣＰＵ
４０２：ＲＡＭ
４０３：ＲＯＭ
４０４：ユーザインターフェースモジュール
４０５：Ｉ／Ｏポート部
４０６：撮像モジュール
４０７：イメージプロセスモジュール
４０８：メモリカードインターフェース
４０９：ビデオモジュール
４１０：バッテリ
【図１】
2010005823.tif 000003
【図２】
2010005823.tif 000004
【図３】
2010005823.tif 000005
【図４】
2010005823.tif 000006
【図５】
2010005823.tif 000007
【図６】
2010005823.tif 000008
【図７】
2010005823.tif 000009
【図８】
2010005823.tif 000010
【図９】
2010005823.tif 000011
【図１０】
2010005823.tif 000012
【図１１】
2010005823.tif 000013